(57)【要約】【課題】内蔵ストロボユニットにおいて、複雑化することなく、回転軸が一軸の単純な構造でバウンス撮影が可能な撮像装置を提供すること。【解決手段】内蔵ストロボユニット（５）を有する撮像装置において、前記内蔵ストロボユニット（５）はポップアップ機構と閃光を発するための発光管（２０）を有し、前記撮像装置上部には外部機器を装着するためのアクセサリーシュー（６）を有し、前記アクセサリーシュー（６）より被写体側にストロボ回動用の回転軸、前記アクセサリーシュー（６）を挟んで撮影者側に発光管（２０）が配置されていることを特徴とする。【選択図】図４
2016085250.tif 000002
【特許請求の範囲】
【請求項１】
内蔵ストロボユニット（５）を有する撮像装置において、
前記内蔵ストロボユニット（５）はポップアップ機構と閃光を発するための発光管（２０）を有し、
前記撮像装置上部には外部機器を装着するためのアクセサリーシュー（６）を有し、
前記アクセサリーシュー（６）より被写体側にストロボ回動用の回転軸、前記アクセサリーシュー（６）を挟んで撮影者側に発光管（２０）が配置されていることを特徴とする撮像装置。
【請求項２】
前記内蔵ストロボユニット（５）内の反射傘（２１）とフレネルレンズ（２６）は、前記内蔵ストロボユニット（５）がダウン状態において上方向を向いていることを特徴とする請求項１に記載の撮像装置。
【請求項３】
前記内蔵ストロボユニット（５）は、ポップアップ状態からダウン状態までの間で発光方向を任意の角度に変更可能で、どの角度においても発光可能なことを特徴とする請求項１に記載の撮像装置。
【請求項４】
発光管上面にフレネルレンズ（２６）と、前記フレネルレンズ（２６）上面には発光部カバー（７）とを有することを特徴とする請求項１又は請求項２に記載の撮像装置。
【請求項５】
前記発光部カバー（７）は、開いた状態で発光可能、閉じた状態で発光禁止であることを特徴とする請求項４に記載の撮像装置。
【発明の詳細な説明】
【技術分野】
【０００１】
本発明は、撮像装置に関し、特に内蔵ストロボユニットを備えた撮像装置に関する。
【背景技術】
【０００２】
従来、ストロボを用いた写真撮影において、通常ストロボの照射方向をレンズ光軸とほぼ一致させる直射状態での撮影では、不自然な明るさの画像が撮影されてしまう場合がある。そういった場合には、ストロボの照射方向を直射状態から変更させ、天井や壁などにストロボ光を反射させた光を用いて撮影を行うバウンス撮影が用いられている。
【０００３】
特許文献１には、バウンス撮影が可能なポップアップ式の内蔵ストロボ機構が開示されている。この内蔵ストロボ機構では、発光ユニットが発光管に平行な回転軸に対して回転することでバウンス撮影が可能となっている。
【先行技術文献】
【特許文献】
【０００４】
【特許文献１】特開２０１１−７６００５号公報
【発明の概要】
【発明が解決しようとする課題】
【０００５】
しかしながら、上述の特許文献１に開示された従来技術では、内蔵ストロボユニットを回動させる回転軸と発光ユニットをバウンスさせる回転軸との二軸が必要で、構造の複雑化を招く。
【０００６】
本発明は、上記の事情に鑑みて成されたものであり、内蔵ストロボユニットにおいて、複雑化することなく、回転軸が一軸の単純な構造でバウンス撮影が可能な撮像装置を提供することを目的とする。
【課題を解決するための手段】
【０００７】
上記の目的を達成するために、本発明は、
内蔵ストロボユニットを有する撮像装置において、
前記内蔵ストロボユニットはポップアップ機構と閃光を発するための発光管と、
前記撮像装置上部には外部機器を装着するためのアクセサリーシューと、を有し、
前記アクセサリーシューより被写体側にストロボ回動用の回転軸、前記アクセサリーシューを挟んで撮影者側に発光管が配置されていることを特徴とする。
【発明の効果】
【０００８】
本発明によれば、内蔵ストロボユニットにおいて、複雑化することなく、回転軸が一軸の単純な構造でバウンス撮影が可能な撮像装置の提供を実現できる。
【図面の簡単な説明】
【０００９】
【図１】本発明の実施形態に係る撮像装置を示す内蔵ストロボユニットダウン状態の外観正面斜視図である。
【図２】本発明の実施形態に係る撮像装置を示す内蔵ストロボユニットポップアップ状態の外観背面斜視図である。
【図３】本発明の実施形態に係る撮像装置の上面図である。
【図４】本発明の実施形態に係る内蔵ストロボユニットのダウン状態を示す図３のＡ−Ａ断面図である。
【図５】本発明の実施形態に係る内蔵ストロボユニットのダウン状態を示す図３のＢ−Ｂ断面図である。
【図６】本発明の実施形態に係る上方向に発光可能な状態を示す図３のＡ−Ａ断面図である。
【図７】本発明の実施形態に係る内蔵ストロボユニットのポップアップ途中状態を示す図３のＡ−Ａ断面図である。
【図８】本発明の実施形態に係る光軸方向に発光可能な状態を示す図３のＢ−Ｂ断面図である。
【図９】本発明の実施形態に係る光軸方向に発光可能な状態を示す図３のＡ−Ａ断面図である。
【図１０】本発明の実施形態に係る任意の角度で発光可能な状態を示す図３のＡ−Ａ断面図である。
【発明を実施するための形態】
【００１０】
以下、本発明を実施するための形態を図面に基づいて説明する。
【実施例１】
【００１１】
図１〜図１０において、Ｆは撮像装置前面すなわち被写体側、Ｒは撮像装置後面すなわち撮影者側とする。まず図１、図２にて、本発明の実施形態にかかわる撮像装置の本体構成について説明する。図１は撮像装置を示す内蔵ストロボユニットダウン状態の外観正面斜視図、図２は内蔵ストロボユニットポップアップ状態の外観背面斜視図を表す。
【００１２】
１は撮像装置本体であり、その前面には撮影レンズ２が装着できる。撮影光軸３前側にある被写体は撮影レンズ２を通過し撮像部（不図示）に投影され、画像として出力される。４はレリーズ釦である。撮影者がレリーズ釦４を押すことで、撮像装置本体１は撮影動作を行う。５は内蔵ストロボユニットであり、撮影光軸３と略直交する方向に回転軸５ａを持つ。６はアクセサリーシューであり、外部ストロボや外部マイク等の外部機器を接続するために使用される。
【００１３】
７は発光部カバーであり、カバーを閉じた状態でストロボ発光禁止、開いた状態でストロボ発光可能とすることができる。なお、発光部カバーの取り付け位置は、トップカバー（不図示）でも内蔵ストロボユニット５でも良い。
【００１４】
８はポップアップ釦であり、ストロボユニット５のポップアップ動作を行うために使用する釦である。１０は係止ツメであり、ストロボ撮影を行わない場合は引っ掛け穴１１に引っ掛けることで、図１のようにストロボダウン状態で係止されている。ポップアップ釦８を押すと、係止ツメ１０が引っ掛け穴１１から外れる方向に可動し、ストロボユニット５の回転軸５ａを中心として配置されたバネ（不図示）により、図２のようにストロボポップアップ状態に回動する。
【００１５】
次に図３〜図１０にて内蔵ストロボユニット５の詳細構成とバウンス角変更時の動作機構について説明する。図３は撮像装置の上面図であり、断面Ａ−Ａは位置決め部材２２とロックピン２３との関係を表し、断面Ｂ−Ｂはロックピン係止ツメ２３ａとロック解除バー２５との関係を表している。図４は内蔵ストロボユニットのダウン状態を示す図３のＡ−Ａ断面図、図５は内蔵ストロボユニットのダウン状態を示す図３のＢ−Ｂ断面図を表す。
【００１６】
内蔵ストロボユニット５の回転軸５ａとアクセサリーシュー６と発光管２０との位置構成は、図４のようにアクセサリーシュー６より被写体側に回転軸５ａ、アクセサリーシュー６を挟んで撮影者側に発光管２０が配置されている構成となっている。発光部カバー７は閉じているので、この時はストロボ発光禁止状態となっている。２１は反射傘、２６はフレネルレンズであり、内蔵ストロボユニット５のダウン状態において、上方向を向いている。
【００１７】
電力供給により発光した発光管２０の光は反射傘２１によって集光され、フレネルレンズ２６を透過して撮像装置本体１の上面部から放出される。２２は位置決め部材で内蔵ストロボユニット５に固定されており、ギア部２２ａとカム部２２ｂを備えている。ロックピン２３は、ロックピンバネ２４にて位置決め部材２２の方向にバネ付勢されており、ストロボポップアップ後にギア部２２ａの上をロックピン２３が可動することで、内蔵ストロボユニット５の角度が決まる仕組みとなっている。
【００１８】
図５の２３ａはロックピン係止ツメ、２５はロック解除バー、２７は引っ掛けリブであり、光軸と直交する方向に発光可能な状態においては、ロック解除バー２５はα方向にバネ（不図示）付勢され、ロックピン係止ツメ２３ａは引っ掛けリブ２７対し引っ掛かっている状態となっている。
【００１９】
図６は上方向に発光可能な状態を示す図３のＡ−Ａ断面図を表す。発光部カバー７が発光部カバー軸部７ａを中心に回転し開くことでストロボ発光が可能となり、上方向に発光するバウンス撮影が可能になる。
【００２０】
図７は内蔵ストロボユニットのポップアップ途中状態を示す図３のＡ−Ａ断面図を表す。内蔵ストロボユニット５に固定されている位置決め部材２２は、内蔵ストロボユニット５と同期して動くようになっている。ポップアップ途中状態においてロックピン２３は、図５のようにロックピン係止ツメ２３ａが引っ掛けリブ２７に対し引っ掛かっている状態となっているため、位置決め部材２２とは離れた状態となっている。
【００２１】
図８は光軸方向に発光可能な状態を示す図３のＢ−Ｂ断面図を表す。内蔵ストロボユニット５のポップアップ動作と共に回動する解除リブ５ｂは、ロック解除バー２５のロック解除バー先端部２５ａと突き当たる。その結果、ロック解除バー軸部２５ｂを中心にロック解除バーツメ押し部２５ｃは回転し、引っ掛けリブ２７に引っ掛かっているロックピン係止ツメ２３ａは押されて、引っ掛かりが解除される。
【００２２】
図９は光軸方向に発光可能な状態を示す図３のＡ−Ａ断面図を表す。上述のように引っ掛けリブ２７からロックピン係止ツメ２３ａの引っ掛かりが解除されたことで、ロックピン２３はロックピンバネ２４のバネ付勢力によりギア部２２ａと噛み合い、内蔵ストロボユニット５が光軸方向に発光可能な位置で係止されるようになっている。
【００２３】
図１０は任意の角度で発光可能な状態を示す図３のＡ−Ａ断面図である。ロックピン２３はギア部２２ａと噛み合っており、内蔵ストロボユニット５をギア部２２ａの形成されている範囲で噛み合う角度にて係止させることができる。これにより任意の角度で発光が可能となり、バウンス撮影の幅を広げることができる。
【００２４】
このように、本実施例によれば、内蔵ストロボユニットを有する撮像装置において、アクセサリーシューより被写体側にストロボ回動用の回転軸、前記アクセサリーシューを挟んで撮影者側に発光管を配置し、更に回転軸を一軸とすることで、構造が複雑化することなく単純な構造でバウンス撮影が可能となる。
【００２５】
以上、本発明の好ましい実施形態について説明したが、本発明はこれらの実施形態に限定されず、その要旨の範囲内で種々の変形及び変更が可能である。
【符号の説明】
【００２６】
１  撮像装置本体、２  撮影レンズ、３  撮影光軸、４  レリーズ釦、
５  内蔵ストロボユニット、５ａ  回転軸、５ｂ  解除リブ、６  アクセサリーシュー、
７  発光部カバー、７ａ  発光部カバー軸部、８  ポップアップ釦、１０  係止ツメ、
１１  引っ掛け穴、２０  発光管、２１  反射傘、２２  位置決め部材、
２２ａ  ギア部、２２ｂ  カム部、２３  ロックピン、２３ａ  ロックピン係止ツメ、
２４  ロックピンバネ、２５  ロック解除バー、２５ａ  ロック解除バー先端部、
２５ｂ  ロック解除バー軸部、２５ｃ  ロック解除バーツメ押し部、
２６  フレネルレンズ、２７  引っ掛けリブ
【図１】
2016085250.tif 000003
【図４】
2016085250.tif 000004
【図５】
2016085250.tif 000005
【図６】
2016085250.tif 000006
【図７】
2016085250.tif 000007
【図９】
2016085250.tif 000008
【図１０】
2016085250.tif 000009
【図２】
2016085250.tif 000010
【図３】
2016085250.tif 000011
【図８】
2016085250.tif 000012